(57)【要約】【課題】  用紙に印刷された画像を損傷することがなく、また厚紙を容易に巻くことができる紙巻装置を提供する。【解決手段】  紙巻装置１０は、円筒外周面を有する回転体（巻付ドラム１２）と、回転体の円筒外周面１４に紙Ｓを巻き付けて保持する保持部１６と、回転体の外周面に保持された巻紙を回転体の中心軸と平行な方向に移動させて回転体から取り外す巻紙取り外し部４８を有する。【選択図】図１
2005314046.tif 000002
【特許請求の範囲】
【請求項１】
円筒外周面を有する回転体と、
上記回転体の円筒外周面に紙を巻き付けて保持する保持部と、
上記回転体の外周面に保持された巻紙を上記回転体の中心軸と平行な方向に移動させて上記回転体から取り外す巻紙取り外し部を備えたことを特徴とする紙巻装置。
【請求項２】
上記回転体は上記紙の先端を把持する把持部を有することを特徴とする請求項１に記載の紙巻装置。
【請求項３】
上記把持部は上記回転体の円筒外周面に形成された紙の先端を挿入可能な溝を備えていることを特徴とする請求項２に記載の紙巻装置。
【請求項４】
上記把持部は上記紙の先端をその表面と裏面から把持する機構を備えていることを特徴とする請求項２又は３のいずれか一に記載の紙巻装置。
【請求項５】
上記回転体は上記円筒外周面の外径又は周長を変化させる可変機構を備えていることを特徴とする請求項１〜４のいずれか一に記載の紙巻装置。
【発明の詳細な説明】
【技術分野】
【０００１】
本発明は、紙を筒状に巻いて巻紙を形成する紙巻装置に関する。
【背景技術】
【０００２】
特許文献１に、紙を筒状に巻いて巻紙を形成する紙巻装置が提案されている。この紙巻装置は、上部半円状ガイドと該上部半円状ガイドに対して開閉可能に設けられた下部半円状ガイドを備えており、これら上部と下部の半円状ガイドで形成される円筒空間内に紙を案内し、そこで該紙を円筒状に巻くようにしている。
【特許文献１】特開平６−８０２９６号公報
【発明の開示】
【発明が解決しようとする課題】
【０００３】
しかしながら、この紙巻装置は、円筒空間の内側で紙を巻くため、厚紙などの腰の強い紙は円筒空間内に巻き込むことができないことがある。また、通常は画像面が内側になるようにして紙を巻くため、紙を巻く際にその先端が画像面を擦って画像を削り取ることがある。
【課題を解決するための手段】
【０００４】
本発明は、このような問題のない紙巻装置を提供するものである。そのため、本発明の紙巻装置は、円筒外周面を有する回転体と、上記回転体の円筒外周面に紙を巻き付けて保持する保持部と、上記回転体の外周面に保持された巻紙を上記回転体の中心軸と平行な方向に移動させて上記回転体から取り外す巻紙取り外し部を備えている。
【０００５】
本発明の他の形態の紙巻装置は、上記回転体が上記紙の先端を把持する把持部を有することを特徴とする。
【０００６】
本発明の他の形態の紙巻装置は、上記把持部が上記回転体の円筒外周面に形成された紙の先端を挿入可能な溝を備えていることを特徴とする。
【０００７】
本発明の他の形態の紙巻装置は、上記把持部が上記紙の先端をその表面と裏面から把持する機構を備えていることを特徴とする。
【０００８】
本発明の他の形態の紙巻装置は、上記回転体が上記円筒外周面の外径又は周長を変化させる可変機構を備えていることを特徴とする。
【発明の効果】
【０００９】
このような構成を備えた紙巻装置によれば、厚紙などの腰の強い用紙も容易に巻いて巻紙とすることができる。また、用紙を巻く際に画像を損傷することがない。
【発明を実施するための最良の形態】
【００１０】
以下、添付図面を参照して本発明に係る紙巻装置の複数の実施形態を説明する。なお、紙巻装置は、複写機やプリンタなどの画像形成装置の排出部に設置してもよいし、これらの画像形成装置とは別個に設置して利用することもできる。また、以下の説明では、発明の理解を容易にするために、装置や部材等の動作及び構成を説明する際に、「上」、「下」、「左」、「右」、「時計回り方向」、「反時計回り方向」などの用語やそれらの用語を含む用語を用いるが、発明の技術的範囲はそれらの用語が持つ意味によって限定的に解釈されるものでない。また、請求の範囲と明細書を通じて、紙巻装置は「紙」を取り扱う対象として説明するが、ここでいう「紙」は紙以外のシート状物、例えばプラスチックシートやプラスチックと紙を合成したシートなどのすべてのシート状物を含むものと理解すべきである。
【００１１】
実施の形態１：
図１は、実施の形態１に係る紙巻装置１０を示す。紙巻装置１０は、円筒状の回転体である巻付ドラム１２を有する。巻付ドラム１２は、円筒外周面１４を有し、片持支持された軸１５に支持されており、この軸１５が図示しない駆動モータに駆動連結されて時計回り方向に所定の速度（周速Ｖ１）で回転するようにしてある。
【００１２】
巻付ドラム１２の上方には、用紙搬送ローラ（保持部）１６が巻付ドラム１２と平行に配置され、回転自在に支持されている。用紙搬送ローラ１６はまた、図示するように該用紙搬送ローラ１６の外周面を巻付ドラム１２の円筒外周面１４に接触させた位置（接触位置）〔図１に実線で示す位置〕と、該用紙搬送ローラ１６の外周面を巻付ドラム１２の円筒外周面１４から離間させた位置（非接触位置／離間位置）〔図１に点線で示す位置〕との間を移動できるように、図示しない支持機構によって支持されている。したがって、用紙搬送ローラ１６が接触位置にあるとき、この用紙搬送ローラ１６は巻付ドラム１２との摩擦に基づいて該巻付ドラム１２の回転に従って回転する。
【００１３】
巻付ドラム１２と用紙搬送ローラ１６との接触領域１８の左側には、該接触領域１８に用紙を供給する用紙供給部２０が配置されている。接触領域１８の右側には、該接触領域１８を通過した用紙を次の工程（例えば、排紙工程）に搬送する用紙排出部２２が配置されている。
【００１４】
用紙供給部２０は、図示しない画像形成装置から排出された用紙を接触領域１８に搬送する一対の搬送ローラ２４を有する。搬送ローラ２４から接触領域１８までの用紙供給路２６の近傍には、搬送ローラ２４から接触領域１８に向けて送り出された用紙の先端と後端を検出する用紙検出器２８が配置されている。用紙検出器２８は、用紙と接触して該用紙の先端及び後端を検出する接触型の検出器であってもよいし、用紙と接触することなく該用紙の先端及び後端を検出する非接触型の検出器のいずれであってもよい。
【００１５】
用紙排出部２２は、接触領域１８の下流側に配置された爪（案内部材）３０を有する。爪３０は、図示しない駆動源（例えば、モータ又はソレノイド）に駆動連結されており、接触領域１８を通過した用紙の先端を巻付ドラム１２から分離させる分離位置〔図１に点線で示す位置〕と、接触領域１８を通過した用紙から離間して該用紙が巻付ドラム１２の外周面に保持された状態を維持する非分離位置〔図１に実線で示す位置〕との間を移動できるようにしてある。爪３０が分離位置にある状態で該爪３０によって巻付ドラム１２から分離された用紙をガイドする用紙排出路３２の近傍には、この用紙排出路３２を挟んでその両側に第１の用紙搬送ローラ３４と第２の用紙搬送ローラ（保持部）３６が配置されている。図面上で上方に配置された第１の用紙搬送ローラ３４は、図示しない駆動モータに駆動連結されており、反時計回り方向に回転するようにしてある。一方、図面上で下方に配置された第２の用紙搬送ローラ３６は、時計回り方向と反時計回り方向の両方に回転可能に支持されており、図示しない支持機構によって、第１の用紙搬送ローラ３４に接触して該第１の用紙搬送ローラ３４と共に用紙を挟持搬送する用紙搬送位置〔図１に点線で示す位置〕と、第１の用紙搬送ローラ３４から離間すると共に巻付ドラム１２の円筒外周面１４に接触して該巻付ドラム１２の円筒外周面１４に用紙を保持する用紙保持位置〔図１に実線で示す位置〕との間を移動できるようにしてある。
【００１６】
巻付ドラム１２の周囲は用紙ガイド３８に囲まれており、巻付ドラム１２と用紙ガイド３８との間に所定の大きさの隙間（用紙搬送路）４０が形成されている。また、巻付ドラム１２の周囲には、巻付ドラム１２の円筒外周面１４に対向して、該巻付ドラム１２の円筒外周面１４に巻き付けられた用紙の後端を、巻付ドラム１２の円筒外周面１４に巻き付けられている部分に固定する、後端固定部４２が設けてある。実施の形態において、後端固定部４２は、接触領域１８の上流側に設置されている。しかし、後端固定部４２の設置場所は図示する位置に限るものでない。また、後端固定部４２は、例えば、接着テープ４４を所定の長さに切断するとともに該切断された所定長さの接着テープ４４を用紙後端と該用紙後端が接する用紙部分にまたがって貼り付けるテープ留め機構が好適に用いられる。なお、実施の形態では、後端固定部４２としてテープ留め機構を採用しているが、用紙の後端を該後端が重なる別の用紙部分に固定できるものであれば、いかなる機構であってもよい。
【００１７】
巻付ドラム１２の回転方向に関して、用紙供給部２０から巻付ドラム１２の円筒外周面１４に用紙が供給される位置のすぐ上流側には、用紙保持ローラ（保持部）４６が配置されている。用紙保持ローラ４６は、図示しない移動支持機構に支持されており、巻付ドラム１２の外周面に接触する位置〔図１に実線で示す位置〕と、巻付ドラム１２から離間した位置〔図１に点線で示す位置〕との間を移動できるようにしてある。また、用紙保持ローラ４６は、図示しない駆動モータに連結され、このモータの駆動に基づいて反時計回り方向に回転するようにしてある。用紙保持ローラ４６の回転速度は、その周速Ｖ２が巻付ドラム１２の周速Ｖ１よりも僅かに大きくなるように設定されている。その結果、巻付ドラム１２に巻き付けられた用紙の先端に弛みがある場合、接触位置にある用紙保持ローラ４６は、用紙保持ローラ４６と巻付ドラム１２の周速差（Ｖ２−Ｖ１）に基づいて用紙先端を巻付ドラム１２に対して相対的に先送りして弛みを除去する。
【００１８】
巻付ドラム１２の周囲にはさらに、巻付ドラム１２に巻き付けられた用紙を、該巻付ドラム１２の軸と平行な方向に移動させて該巻付ドラム１２から巻紙を外すための巻紙取り外し部４８を備えている。実施の形態において、巻紙取り外し部４８は、巻付ドラム１２の左右にほぼ対称に配置された取り外しローラ５０を有する。図面上、取り外しローラ５０は右側と左側の領域にそれぞれ一つ示してあるが、巻付ドラム１２の軸と平行な方向に複数の取り外しローラ５０を配置することが好ましい。取り外しローラ５０は、巻付ドラム１２の円筒外周面１４から離間した位置〔図１に実線で示す位置〕と、巻付ドラム１２の円筒外周面１４に接触した位置〔図１に点線で示す位置〕との間を移動可能に支持されている。また、取り外しローラ５０は、巻付ドラム１２の軸と直交する方向の軸５２を中心として回転自在に支持されており、図示しないモータに駆動連結され、巻付ドラム１２に巻き付けられた用紙を、巻付ドラム１２の軸の駆動連結端部（基端）から離れる方向（自由端に向かう方向）に送り出すように回転する。
【００１９】
このような構成を有する紙巻装置１０の動作を説明する。画像形成装置から排出された用紙を巻いて巻紙を形成する場合、図示しない画像形成装置から用紙供給部２０に供給された用紙Ｓは、一対の搬送ローラ２４に挟持され、該搬送ローラ２４の回転に基づいて用紙供給路２６から接触領域１８に向かって送り出され、用紙検出器２８で用紙先端が検出される。用紙検出器２８の用紙先端検出信号は図示しない制御装置に出力される。制御装置は、用紙先端検出信号を受信すると、用紙搬送ローラ１６、第２の用紙搬送ローラ３６および用紙保持ローラ４６を点線位置から実線位置に移動し、巻付ドラム１２の円筒外周面１４に接触させる。このとき、爪３０と取り外しローラ５０は、巻付ドラム１２から離間した実線位置に保持されている。その結果、接触領域１８に供給された用紙Ｓは、用紙搬送ローラ１６によって巻付ドラム１２の外周面１４に巻き付けられる。また、接触領域１８を通過した用紙Ｓは、再度、第２の用紙搬送ローラ３６で巻付ドラム１２の外周面１４に保持される〔図２（ｂ）参照〕。次に、巻付ドラム１２と第２の用紙搬送ローラ３６との接触部を通過した用紙Ｓの先端は、巻付ドラム１２とその外側に配置された用紙ガイド３８との隙間４０を通り、巻付ドラム１２と用紙保持ローラ４６との接触部に向かって供給される。図２（ｂ）に示すように、巻付ドラム１２と第２の用紙搬送ローラ３６との接触部を通過した用紙Ｓは、重力によって巻付ドラム１２の外周面１４から離れていても、用紙自体の腰の強さによって隙間４０の中を折れ曲がることなく搬送され、巻付ドラム１２と用紙保持ローラ４６との接触部に送り込まれる。このとき、用紙保持ローラ４６の周速Ｖ２は巻付ドラム１２の周速Ｖ１よりも大きいため、用紙先端に弛みがあっても、この弛みは両者の周速差（Ｖ２−Ｖ１）によって除去され、再び先端が接触領域１８に進入する用紙Ｓは巻付ドラム１２の外周面に弛みの無い状態で保持されている〔図２（ｃ）、（ｄ）〕。次に、用紙検出器２８が用紙Ｓの後端を検出すると、所定時間経過後、後端固定部４２が作動して用紙後端と巻付ドラム１２の外周面に保持されている前方用紙部分にまたがって粘着テープ４４を貼り付け、該用紙後端を該前方用紙部分に固定し、巻紙を形成する。続いて、巻付ドラム１２の外周面１４に接触している用紙搬送ローラ１６、第２の用紙搬送ローラ３６および用紙保持ローラ４６が、図１に点線で示す非接触位置に移動する。次に、取り外しローラ５０は、非接触位置から接触位置に移動するとともに、図示しないモータの駆動に基づいて回転し、巻付ドラム１２の外周面１４に保持されている巻紙を該巻付ドラム１２の自由端に向けて該巻付ドラム１２の軸と平行な方向に移動し、該巻付ドラム１２から取り外す。巻付ドラム１２から取り外された巻紙は、該巻付ドラム１２の下方に設置されている箱に落下回収される。なお、用紙保持ローラ４６の駆動系に該用紙保持ローラ４６の負荷（例えば、トルク）を検出する負荷検出器を設け、この負荷検出器で検出された負荷が軽い場合（すなわち、弛みがある場合）は上述のように用紙搬送ローラ４６を高速Ｖ２（周速）で回転し、検出された負荷が大きい場合（すなわち、弛みが無い場合）は用紙搬送ローラ４６を低速Ｖ２’（＜Ｖ２）（周速）で回転するように、図示しない制御部で用紙搬送ローラ４６の回転数（周速）を制御してもよい。
【００２０】
画像形成装置から排出された用紙を巻紙にすることなくそのまま排出する場合、図３（ａ）に示すように、搬送ローラ２４から用紙供給路２６に送り出された用紙Ｓの先端が用紙検出器２８で検出されると、用紙搬送ローラ１６は接触位置に移動し、巻付ドラム１２の外周面１４と接触する。爪３０は、巻付ドラム１２の外周面１４に接触する分離位置にある。第２の用紙搬送ローラ３６は、巻付ドラム１２から離間し、第１の用紙搬送ローラ３４と接触している。したがって、用紙搬送ローラ１６と巻付ドラム１２との接触領域１８を通過した用紙は、爪３０によって用紙排出路３２に送り込まれ、第１と第２の用紙搬送ローラ３４，３６に挟持され、図示しない用紙排出部に排出される。なお、巻紙を形成しない場合、用紙保持ローラ４６は、巻付ドラム１２に対して接触位置又は非接触位置のいずれに置かれてもよい。ただし、取り外しローラ５０は、巻付ドラム１２の外周面１４から離間した非接触位置に保持される。
【００２１】
実施の形態２：
実施の形態２に係る紙巻装置を図４に示す。この紙巻装置１０Ａにおいて、巻付ドラム１２の外周面１４には、中心軸と平行な方向に伸びる用紙先端保持溝（保持部）５２が形成されている。実施の形態において、溝５２は、用紙供給路２６から供給される用紙の先端が無理なく溝５２に進入する方向に向けることが好ましい。したがって、実施の形態では用紙供給路２６に対して溝５２を斜めに下方に向けているが、用紙供給路２６から送り出される用紙の進行方向に向けて溝５２を形成してもよい。
【００２２】
巻紙形成時に用紙供給路２６から排出される用紙の先端が溝５２に確実に進入し、逆に、巻紙非形成時には用紙供給路２６から排出される用紙の先端が溝５２に入らないようにするために、紙巻装置１０は溝５２の位置を検出する溝位置検出装置５４を本体側に備えている。溝位置検出装置５４は接触型又は非接触型のスイッチで構成し、このスイッチで溝の位置又は溝に対応して設けられた被検出部を検出するものであってもよいし、巻付ドラム１２の回転数若しくは回転角度又は該巻付ドラム１２を駆動するモータの回転数若しくは回転角度を検出し、その回転数若しくは回転角度から溝５２の位置を検出するものであってもよい。
【００２３】
このような構成を有する実施の形態２の紙巻装置１０Ａによれば、巻紙形成時、溝位置検出装置５４からの信号に基づいて、巻付ドラム１２は溝５２が用紙供給路２６の延長上に位置するように固定される。したがって、図５（ａ）〜図５（ｄ）に示すように、用紙供給路２６から排出された用紙Ｓがその先端溝５２に入る。溝５２に進入する用紙の長さは一定に制御される。具体的には、溝５２の底部（奥部）近傍に接触型又は非接触型の用紙先端検出器を設け、この用紙先端検出器から用紙検出信号が出力された直後から巻付ドラム１２を回転させることにより、溝５２に対する用紙Ｓの進入量を制御することができる。または、用紙検出器２８が用紙先端を検出してから所定時間経過した後から巻付ドラム１２を回転することにより、同様に、溝５２に対する用紙Ｓの進入量を制御することができる。
【００２４】
上述のように、用紙Ｓの先端部分が溝５２に進入した状態で、巻付ドラム１２が回転する。その結果、溝５２に保持された用紙先端部分に続く用紙部分は、用紙搬送ローラ１６と巻付ドラム１２との接触領域１８で巻付ドラム１２の外周面に保持される。また、用紙保持ローラ４６と巻付ドラム１２との接触部で、用紙保持ローラ４６と巻付ドラム１２の周速差（Ｖ２−Ｖ１）に基づき、用紙先端部分が巻付ドラム１２に対して相対的に先送りされ、用紙に弛みがあればこれが除去される。また、弛みが除去された用紙は、実施の形態１と同様に、巻付ドラム１２の外周面１４に巻き付けられ、後端部がテープ等で固定された後、取り外しローラ５０によって巻付ドラム１２から取り除かれる。
【００２５】
巻紙を形成しない場合、溝５２に用紙先端が進入することを防止するために、図６（ａ）又は図６（ｂ）に示すように、巻付ドラム１２を回転し、用紙供給路２６の延長上から溝５２を移動させる。移動後の位置は任意であるが、用紙供給路２６の出口から用紙排出路３２の入口までの領域は避けることが好ましい。
【００２６】
なお、実施の形態２では、用紙の先端が巻付ドラム１２に保持されることから、実施の形態１で説明した第２の用紙搬送ローラのように、用紙搬送ローラ１６と巻付ドラム１２との接触領域１８の下流側で用紙を巻付ドラム１２の外周面上に保持する手段は必ずしも必要でない。また、巻付ドラム１２を囲む用紙ガイド３８は、必ずしも必要ではない。
【００２７】
実施の形態３：
実施の形態３に係る紙巻装置を図７に示す。この紙巻装置１０Ｂにおいて、巻付ドラム１２は、溝５２に挿入された用紙先端部を把持する用紙把持装置（保持部）５６を備えている。具体的に、実施の形態の用紙把持装置５６はチャック５８を備えている。チャック５８は、用紙Ｓの表面又は裏面のいずれ一方に対向する溝５２の側面６０に対して進退可能に支持されており、この側面６０との間に用紙先端を挟持できるようにしてある。また、チャック５８は、溝５２の側面６０から遠ざかる方向に該チャック５８を付勢するばね６２に連結されており、通常は図７に示す後退位置に保持されている。さらに、チャック５８は巻付ドラム１２に揺動可能に支持されたレバー６４の一端が回転可能に連結され、このレバー６４の他端がノレノイド６６のプランジャロッド６８に回転可能に連結されており、ソレノイド６６の駆動に基づいて、チャック５８は図示する後退位置から図８（ａ）〜（ｃ）に示す進出位置に移動し、溝５２の側面６０との間に用紙先端を挟持することができるようにしてある。
【００２８】
このような構成を備えた実施の形態３の紙巻装置１０Ｂによれば、図８（ａ）〜図８（ｃ）に示すように、用紙供給路２６から排出された用紙Ｓが溝５２の底部近傍まで進入すると、ソレノイド６６が起動し、チャック５８を離間位置から挟持位置へと移動する。その結果、用紙先端は、チャック５８とこれに対向する溝５２の側面６０との間に把持される。ソレノイド６６が起動するタイミングは、用紙検出器２８が用紙先端を検出する信号を基準に決定することが好ましい。または、接触型又は非接触型の用紙検出器を溝５２の近傍に配置し、その用紙検出器から出力される用紙検出信号に基づいてソレノイド６６を起動してもよい。
【００２９】
本実施の形態３における用紙把持装置５６は単なる一つの実施例であって、種々改変可能である。例えば、用紙の先端を保持する機構は、上述のような機械的な把持構成に限るものでなく、負圧を利用して用紙先端を吸着保持する機構も考えられる。
【００３０】
実施の形態４：
実施の形態４に係る紙巻装置を図９に示す。この紙巻装置１０Ｃにおいて、巻付ドラム１２は、該巻付ドラム１２の外径又は周長を変化させる可変機構６９を有する。可変機構６９において、巻付ドラム１２は、中心軸１５と平行又はほぼ平行に伸びる平面によって分割された２つのドラム部分７０、７２で構成されている。実施の形態において、第１のドラム部分７０は第２のドラム部分７２よりも大きく形成されている。第２のドラム部分７２は、中心軸と平行な別の軸７３を介して第１のドラム部分７０に揺動可能に連結されており、図９（ａ）に示す開放位置（周長拡大位置）と図９（ｂ）に示す閉鎖位置（周長縮小位置）との間を移動できるようにしてある。第２のドラム部分７２はまた、第１のドラム部分７０と第２のドラム部分７２との間に介在したばね７４によって開放位置に付勢されている。一方、第１のドラム部分７０は、ソレノイド７６を備えており、ソレノイド７６のプランジャロッド７８が第２のドラム部分７２に連結されている。
【００３１】
このような構成を備えた実施の形態４に係る紙巻装置１０によれば、ばね７４の付勢力に対抗してソレノイド７６を駆動することにより、第１のドラム部分７０を開放位置と閉鎖位置との間で移動し、これら２つのドラム部分７０，７２によって形成される巻付ドラム１２の周長を拡大・縮小できる。したがって、用紙を巻付ドラム１２に巻き付けるときは第１のドラム部分７０を開放位置に維持し、巻付ドラム１２から巻紙を取り外す際に第１のドラム部分７０を縮小位置に切り替えると、巻紙と巻付ドラム１２との間に隙間ができ、これにより取り外しローラ５０による用紙の取り外しが容易に行える。
【００３２】
なお、実施の形態４では巻付ドラム１２を該巻付ドラム１２の中心軸に平行な平面で２つのドラム部分７０，７２に分割したが、分割の数、分割の位置等は任意であり、要するに、巻付ドラム１２を複数のドラム部分に分割し、周長拡大状態と周長縮小状態又は外径拡大状態と外径縮小状態に切り替えることができるものであればよい。また、本実施の形態の説明において、「周長」とは巻付ドラム１２の外周面に用紙等のシート状物又は紐状物を巻き付けたときに該シート状物等によって描かれる輪郭の長さを意味し、巻付ドラムの実際の周長を意味するものではない。また、本実施の形態において、「外径」とは上記輪郭の外径を意味するものである。
【図面の簡単な説明】
【００３３】
【図１】本発明に係る紙巻装置の実施の形態１の概略構成を示す断面図。
【図２】図１に示す紙巻装置の紙巻時における動作を説明する図。
【図３】図１に示す紙巻装置の非紙巻時における動作を説明する図。
【図４】本発明に係る紙巻装置の実施の形態２の概略構成を示す断面図。
【図５】図４に示す紙巻装置の紙巻時における動作を説明する図。
【図６】図４に示す紙巻装置の非紙巻時における動作を説明する図。
【図７】本発明に係る紙巻装置の実施の形態３の概略構成を示す断面図。
【図８】図７に示す紙巻装置の紙巻時における動作を説明する図。
【図９】本発明に係る紙巻装置の実施の形態４の概略構成を示す断面図。
【符号の説明】
【００３４】
１０：紙巻装置
１２：巻付ドラム
１４：外周面
１６：用紙搬送ローラ
１８：接触領域
２０：用紙供給部
２２：用紙排出部
２４：搬送ローラ
２６：用紙供給路
２８：用紙検出器
３０：爪
３２：用紙排出路
３４：第１の用紙搬送ローラ
３６：第２の用紙搬送ローラ
３８：用紙ガイド
４０：隙間
４２：後端固定部
４４：粘着テープ
４６：用紙保持ローラ
４８：巻紙取り外し部
５０：取り外しローラ
５２：溝
５４：溝位置検出装置
５６：用紙把持装置
５８：チャック
６０：側面
６２：ばね
６４：レバー
６６：ソレノイド
６８：プランジャロッド
６９：軸
７０：第１のドラム部分
７２：第２のドラム部分
７４：ばね
７６：ソレノイド
７８：プランジャロッド
【図１】
2005314046.tif 000003
【図２】
2005314046.tif 000004
【図３】
2005314046.tif 000005
【図４】
2005314046.tif 000006
【図５】
2005314046.tif 000007
【図６】
2005314046.tif 000008
【図７】
2005314046.tif 000009
【図８】
2005314046.tif 000010
【図９】
2005314046.tif 000011